(57)【要約】【課題】着火、燃焼状態を遠くからでも一目で確認できること。【解決手段】燃焼室の前面の広い面積に設けられた発光体１０と、前記発光体１０の前面に空間を設け取り付けられた半透光性部材１２を備え、温風暖房部９の制御と照明ユニット部１３の制御との連動状態を選択する点灯箇所切換スイッチ３１を機器の操作部に設ける。【選択図】図２
2006064328.tif 000002
【特許請求の範囲】
【請求項１】
バーナーと、前記バーナーからの燃焼ガスと外部より取り込んだ空気を混合する燃焼室と、温風を送出するための対流用ファンと、温風を吹出す温風吹出口と、燃焼用の空気を取り込む対流用フィルターとで構成された温風暖房部と、前記燃焼室の前面に設けられた複数の発光体と、前記複数の発光体の前面に一定空間を設けて取り付けられた半透光性部材を設けた照明ユニット部とを設けた温風暖房装置において、その操作について、前記温風暖房部の制御と前記照明ユニット部の制御との連動状態を選択できる点灯箇所切換スイッチを機器の操作部に設けた温風暖房装置。
【請求項２】
温風暖房部の制御がおはよう運転を選択状態にあるときには、少数の発光体へだけ通電して点灯させ、照明を暗くする制御手段を設けた請求項１記載の温風暖房装置。
【請求項３】
温風暖房部の制御がおやすみ運転を選択状態にあるときには、少数の発光体へだけ通電して点灯させ、照明を暗くする制御手段を設けた請求項１または２記載の温風暖房装置。
【請求項４】
温風暖房部の制御により、バーナーの燃焼量がある一定の状態に保たれた状態のとき、照明ユニット部の複数の発光体の点灯箇所と点灯数を前記燃焼量に対応した定数に連動して制御する制御手段を設けた請求項１〜３のいずれか１項に記載の温風暖房装置。
【請求項５】
温風暖房部のバーナーが燃焼していない時、照明ユニット部の複数の発光体の点灯箇所と点灯数を点灯箇所切換スイッチで選択できる制御手段を設けた請求項１〜４のいずれか１項に記載の温風暖房装置。
【発明の詳細な説明】
【技術分野】
【０００１】
本発明は、温風を吹き出して室内を暖房する温風暖房機に関するものである。
【背景技術】
【０００２】
従来、この種の温風暖房機としては図７に示すように、例えば表示器を突出して設け、機器正面・両側面・上面より運転状態が発光により確認できる構成とした灯油を使用した温風暖房機がある。
【０００３】
図７において、１は温風暖房機本体で、２は前面上部に備えられた操作部、３は温風を吹き出すルーバー４を取り付けた温風吹き出口、５は背面の温風取入口６に取り付けられた対流用ファン、９はバーナーヘッド部１０を突出して設けられバーナー部で、１１はバーナーヘッド１０を囲み燃焼空間を形成する燃焼筒である。
【０００４】
４６は操作部２と温風吹き出口３との間の中央部に設けられたカラー表示部で、赤色及び緑色の２色発光する発光部４７と、この発光部４７の光をカラー表示部４６の周囲に拡散させる拡散レンズ４８とにより構成されている（例えば、特許文献１参照）。
【特許文献１】特開２００１−３３６８２９号公報（第２〜３Ｐ、第２図）
【発明の開示】
【発明が解決しようとする課題】
【０００５】
しかしながら前記従来の構成では、表示器を突出して設け、機器正面・両側面・上面より運転状態が発光により確認できるものであるが、表示器が小さいため、遠くからはその運転状態がはっきりと確認できないという課題を有していた。特にガスを使用した温風暖房機は運転音が静かになり、弱燃焼の場合は騒音が２２ｄＢと低く、燃焼しているかどうか一目で確認できないため、消し忘れし、燃焼しっぱなしの状態で外出するといったことが起こっている。本発明は、前記従来の課題を解決するもので、燃焼状態に対応して照明ユニット部の照明度合いを可変することで、遠くからでも一目で機器の運転状態が確認でき、かつ、燃焼中に照明ユニット部により自然の炎に近い光を提供することで、視覚的にも暖かさを感じる温風暖房機を提供することを目的としている。
【課題を解決するための手段】
【０００６】
前記従来の課題を解決するために、本発明の温風暖房機は、バーナーと、前記バーナーからの燃焼ガスと外部より取り込んだ空気を混合する燃焼室と、温風を送出するための第一の対流用ファンと、温風を吹き出す温風吹出口と、燃焼用の空気を取り込む対流用フィルターとで構成された温風暖房部と、前記燃焼室の前面に分離壁を設けて配置された複数の発光体と前記複数の発光体の前面に空間を設けて取り付けられた半透光性部材を設けた照明ユニット部とを設け、その操作について、前記温風暖房部の制御と前記照明ユニット部の制御との連動状態を選択できる点灯箇所切換スイッチを機器の操作部に設けたものである。従って、照明ユニット部内の複数の発光体の発光により、遠くからでもひと目で機器の運転状態が確認でき、温風暖房部の制御と照明ユニット部の制御との連動状態を選択できる点灯箇所切換スイッチを機器の操作部に設けることにより、複数の発光体の点灯箇所と点灯数を選択できることで使い勝手をより便利にしたものである。
【０００７】
つまり、前記温風暖房部の燃焼状態の制御と前記照明ユニットの照明状態の制御を一定の関係で連動制御、例えば前記温風暖房部の燃焼状態が強燃焼状態の場合は、前記照明ユニットの照明状態も最大の明るさとし、燃焼状態が最小の場合は、照明状態も最低の明るさまで落とし、常に燃焼量と連動した照明状態を作り出すことで、遠くからでも、容易に機器の運転状態を確認することができ、温風暖房部の制御と照明ユニット部の制御との連動状態を選択できる点灯箇所切換スイッチを機器の操作部に設けることにより、複数の発光体の点灯箇所と点灯数を選択できることで使い勝手をより便利にしたものである。
【発明の効果】
【０００８】
本発明の温風暖房装置は、機器の前面に照明ユニットを設け、燃焼と連動させて発光体を発光させると、遠くから一目で燃焼していることが確認できるため、点火の確認も容易になり、つけっ放しで外出する等の消し忘れを防止でき、安全性を高めることができる。また、照明ユニットの発光を炎のように見せられるため、疑似火炎により使用者に視覚で暖かさを感じさせることが可能であり、省エネ効果も得ることができ、温風暖房部の制御と照明ユニット部の制御との連動状態を選択できる点灯箇所切換スイッチを機器の操作部に設けることにより、複数の発光体の点灯箇所と点灯数を選択できることで使い勝手をより便利にしたものである。
【発明を実施するための最良の形態】
【０００９】
第１の発明は、バーナーと、前記バーナーからの燃焼ガスと外部より取り込んだ空気を混合する燃焼室と、温風を送出するための対流用ファンと、温風を吹出す温風吹出口と、燃焼用の空気を取り込む対流用フィルターとで構成された温風暖房部と、前記燃焼室の前面に設けられた複数の発光体と、前記複数の発光体の前面に一定空間を設けて取り付けられた半透光性部材を設けた照明ユニット部とを設けた温風暖房装置において、その操作について、前記温風暖房部の制御と前記照明ユニット部の制御との連動状態を選択できる点灯箇所切換スイッチを機器の操作部に設けたものである。従って、複数の発光体に通電、発光照明されると分離壁内面の反射により、複数の発光体の光が反射・拡散され、照明ユニットの半透光性部材を通し、光を遠くからもよく見える様にすることができ、前記温風暖房部の制御部と前記照明ユニット部の制御部を連動して制御する制御手段を設けることにより、温風暖房部の燃焼状態、すなわちその燃焼量と連動して照明ユニット部の光度合いを可変することで、温風暖房機として、燃焼状態を遠くからでも一目で確認でき、外出時の消し忘れによるつけっ放し防止や、また点火の確認も容易にできる。
【００１０】
そして、温風暖房部の制御と照明ユニット部の制御との連動状態を選択できる点灯箇所切換スイッチを機器の操作部に設けることにより、複数の発光体の点灯箇所と点灯数を選択できることで使い勝手をより便利にしたものである。
【００１１】
第２の発明は、特に第１の発明の発明において、設定した定刻に運転を開始するおはよう運転を有する温風暖房部を有した機器において、おはよう運転を選択状態にあるときには、少数の発光体へだけ通電して点灯させ、照明を暗くして、使い勝手をより便利にしたものである。
【００１２】
第３の発明は、特に第１の発明または第２の発明において、設定した定刻に運転を終了するおやすみ運転を有する温風暖房部を有した機器において、おやすみ運転を選択状態にあるときには、少数の発光体へだけ通電して点灯させ、照明を暗くして、使い勝手をより便利にしたものである。
【００１３】
第４の発明は、特に、第１〜３の発明のいずれかの発明において、温風暖房部のバーナーの燃焼量がある一定の状態に保たれた状態のとき照明ユニット部の複数の発光体の点灯箇所と点灯数を燃焼量に対応した定数に連動して変えることで、燃焼量を認識することができ、使い勝手をより便利にしたものである。
【００１４】
第５の発明は、特に、第１〜４の発明のいずれかの発明において、温風暖房部のバーナーが燃焼していない時、照明ユニット部の複数の発光体の点灯箇所と点灯数を点灯箇所切換スイッチで選択できることで、使い勝手をより便利にしたものである。
【００１５】
（実施の形態１）
図１は、本発明の温風暖房装置の正面断面図を示すものである。図２は本発明の温風暖房機器の側面断面図である。
【００１６】
図１において、バーナー１にて供給されたガスの燃焼を行う。燃焼により発生した排気ガスと空気を混合する燃焼室２がある。バーナー１の下方には温風３を送出するための第一の対流用ファン４を設けている。対流用ファン４の下流側には温風を導くルーバー５を取り付けた温風吹出し口７がある。ケース６の後面には対流用空気を取り入れるための網目状の対流用フィルター８があり、以上の構成で温風暖房部９を形成している。１０は通電時に発光する発光体で、燃焼室２の前面に、1)〜7)の７個設けられている。この複数の発光体１０を囲み、燃焼室２と仕切る分離壁１１が燃焼室２とある一定の空間を保って設けられている。発光体１０の前方の機器正面には、一定の空間を設けて半透光性部材１２があり、以上の構成で照明ユニット１３を形成している。
【００１７】
以上のように構成された温風暖房装置について、以下その動作・作用について説明する。
【００１８】
前記記載の運転スイッチ２４をＯＮすると、  温風暖房部９は電磁弁１９、比例制御弁
２０によって制御された燃料ガスを供給パイプ２１を介し、ノズル２２より、バーナー１に供給燃焼され、バーナー１近傍に設けられた点火プラグ２３の放電により点着火、燃焼し、燃焼で発生する高温の排気ガスと、燃焼室２の燃焼風路内で対流用フィルター８を通過した対流用空気が混合される。混合された温風は、対流用ファン４によって前面下部の温風吹出し口７から温風３になって送出され暖房を行なう。また照明ユニット１３は、温風暖房部９の燃焼時に複数の発光体１０が発光する様構成されている。
【００１９】
以上のように本実施の形態においては、照明ユニット１３が機器前面の広い面で発光し、燃焼と連動させると、遠くから一目で燃焼していることが確認できるため、点火の確認も容易になり、消し忘れによるつけっ放しで外出する等を防止でき、安全性を高めることができる。
【００２０】
また、照明ユニット１３の発光を視覚的に、自然の炎のように見せられるため、疑似火炎により使用者に視覚で暖かさを感じさせることが可能であり、省エネ効果も得ることができる。
【００２１】
また、照明ユニット１３である半透光性部材１２と発光体１０を吹き出し口７の上部より機器上部まで設けていることにより、照明ユニット１３を機器前面の広い面に設け、燃焼と連動して発光体１０を発光させると、遠くからでも発光が確認でき、燃焼していることが分かり、上記効果をより強化することができる。
【００２２】
ここで、半透光性部材１２はガラス板あるいは樹脂板で構成することで、半透光性部材１２を薄く形成でき、機器の大きさを抑制することができる。また、発光体１０を複数のＬＥＤで構成することで、安価で寿命の長く消費電力の少ないＬＥＤを複数個機器前面の広い面に配置し、点灯する箇所と数を変えたり、その通電量を変動制御することにより、容易に複数の発光体１０の光をランダムに変化させることにより、半透光性部材１２を通過する光をよりランダムなゆらぎのある全面拡散させることで、あたかも自然の炎がゆらいでいるような光に見えるため、使用者に視覚的に暖かさを感じさせることを可能とし、しかも点火や燃焼状態を遠くから容易に確認できる。
【００２３】
また、本実施例は、発光体１０と燃焼室２を仕切り、かつ発光体１０を囲む分離壁１１を設け、分離壁１１の表面に反射体を設けるか、または反射しやすい加工を施したものである分離壁１１は、燃焼室２とはある空間を設けて取り付けられているため、燃焼に必要な対流用空気はこの間を通過して、良好な燃焼をすることができる従って、燃焼により発生する熱は、この分離壁１１により遮断され、発光体１０の温度上昇を防止する。
【００２４】
また反射体を取り付けるか反射加工をすることで、発光体１０が発光した光りが反射して輝度が増し、より明るく見せることができる。
【００２５】
なお、図３は、本発明の温風暖房装置の制御基板部の制御系ブロック図である。
【００２６】
図３において、制御基板１８ａには、温風暖房部９を制御する温風暖房制御部２５、照明ユニット部１３を制御する照明ユニット制御部２６、前記温風暖房制御部２５と前記照明ユニット制御部２６の関連を記憶し、それぞれの制御部に関連信号を送るメモリー制御部２７が構成されている。制御基板１８ｂの運転スイッチ２４がＯＮすると、温風暖房制御部２５が制御し始め、電磁弁１９、比例制御弁２０、対流用ファン４を駆動する駆動用モーター２８を駆動させ、バーナー１へ燃料ガスを供給、点火電極２３部の放電で燃焼を開始する。
【００２７】
同時に燃焼が開始したことを記憶したメモリー制御部２７は、照明ユニット制御部２６へ信号を送り、発光体１０を点灯させる。当該機器の温風暖房部９と照明ユニット部１３が駆動し運転を始めると、室温をケース６内に設けた室温センサー２９（図示せず）で検知し、制御基板１８ｂ上にある室温設定スイッチ３０（図示せず）で設定した設定温度になるよう、温風暖房制御部２５を介し燃焼量を可変する。さらに、メモリー制御部２７は、ガス暖房制御部２５の制御状態を記憶判断し、あらかじめ定められた前記燃焼状態に対応した照明状態を作り出す様、照明ユニット制御部に信号を送ることで、当該機器の燃焼状態と連動した照明を作りだすことができる。
【００２８】
制御基板１８ｂに、運転スイッチ２４とは独立して設けた点灯箇所切換スイッチ３１（図１，図２には図示せず）によって、制御基板１８ａのメモリー制御部２７からの信号のうち、照明ユニット制御部２６への信号を変えることにより、複数の発光体１０の点灯箇所と点灯数を選択できることで、使い勝手をより便利にしたものである。点灯箇所切換スイッチ３１を押すごとに1)〜7)点灯→4)〜7)点灯→6)7)点灯→7)点灯→全部消灯を繰り返す。
【００２９】
なお、本実施の形態では、ガスを燃料としたバーナで説明したが、石油等を燃料としたものでもよい。
【００３０】
（実施の形態２）
本発明の第２の実施の形態の温風暖房装置は、図４の制御系ブロック図で示す如く、制御基板１８ｂに設けられたおはよう運転スイッチ３２（図１，図２には図示せず）によって、当該機器がおはよう運転を選択されると、その信号をうけ、制御基板１８ａのメモリー制御部２７からの信号のうち、照明ユニット制御部２６への信号を変え、おはよう運転中は、１個の発光体１０へだけ通電させて、照明ユニット部の7)の発光体１０だけを点灯させ、照明を暗くして、省エネ、人間の感性に対応し、使い勝手をより便利にしたものである。
【００３１】
（実施の形態３）
本発明の第３の実施の形態の温風暖房装置は、図５の制御系ブロック図で示す如く、制御基板１８ｂに設けられたおやすみ運転スイッチ３３（図１，図２には図示せず）によって、当該機器がおやすみ運転を選択されると、その信号をうけ、制御基板１８ａのメモリー制御部２７からの信号のうち、照明ユニット制御部２６への信号を変え、おやすみ運転中は、１個の発光体１０へだけ通電させて、照明ユニット部の7)の発光体１０だけを点灯させ、照明を暗くして、使い勝手をより便利にしたものである。
【００３２】
（実施の形態４）
本発明の第４の実施の形態の温風暖房装置は、例えば制御基板１８ａに組み込まれた温風暖房制御部２５の制御パターンが制御パターン図６の如く運転された場合、照明ユニット制御部２６の制御パターンは、制御パターン図６の如く、連動制御運転するものである。すなわち、温風暖房部９の燃焼量が例えば、強で運転中の時は、照明ユニット１３の７個の発光体１０の1)〜7)は全部点灯する。中上で運転中の時は、照明ユニット１３の発光体１０のうち4)〜7)の４個が点灯する。中下で運転中の時は、照明ユニット１３の発光体１０のうち6)と7)の２個が点灯する。弱で運転中の時は、照明ユニット１３の発光体１０のうち7)の１個が点灯する。強・中上・中下・弱に対応した通電状態に連動制御することで、照明ユニット１３の複数の発光体１０の点灯箇所により、遠くからでも容易に当該温風暖房装置の燃焼状態を容易に確認することができる。
【００３３】
（実施の形態５）
本発明の第５の実施の形態の温風暖房装置は、図３の制御系ブロック図で示す如く、温風暖房部９のバーナー１が燃焼していない時、制御基板１８ｂに、運転スイッチ２４とは独立して設けた点灯箇所切換スイッチ３１（図１，図２には図示せず）によって、制御基板１８ａのメモリー制御部２７からの信号のうち、照明ユニット制御部２６への信号を変えることにより、複数の発光体１０の点灯箇所と点灯数を選択できることで、使い勝手をより便利にしたものである。点灯箇所切換スイッチ３１を押すごとに1)〜7)点灯→4)〜7)点灯→6)7)点灯→7)点灯→全部消灯を繰り返す。
【産業上の利用可能性】
【００３４】
以上のように、本発明にかかる温風暖房装置は、照明ユニットの発光を炎のように見せられるため、疑似火炎により使用者に視覚で暖かさを感じさせることが可能となるので、ガスファンヒーターや石油ファンヒーターだけでなく、電気ヒーター等にも適用できる。
【図面の簡単な説明】
【００３５】
【図１】本発明の実施例１における温風暖房装置の正面断面図
【図２】本発明の実施例１における温風暖房装置の側面断面図
【図３】本発明の実施例１、５における温風暖房装置の制御部の制御系ブロック図
【図４】本発明の実施例２における温風暖房装置の制御部の制御系ブロック図
【図５】本発明の実施例３における温風暖房装置の制御部の制御系ブロック図
【図６】本発明の実施例４における温風暖房装置の照明ユニット部の制御パターンの一例を示すパターン図
【図７】従来例における温風暖房装置の断面図
【符号の説明】
【００３６】
１  バーナー
２  燃焼室
３  温風
４  対流用ファン
７  温風吹き出し口
８  対流用フィルター
９  温風暖房部
１０  発光体
１２  半透光性部材
１３  照明ユニット部
３１  点灯箇所切換スイツチ
３２  おはよう運転スイッチ
３３  おやすみ運転スイッチ
【図１】
2006064328.tif 000003
【図２】
2006064328.tif 000004
【図３】
2006064328.tif 000005
【図４】
2006064328.tif 000006
【図５】
2006064328.tif 000007
【図６】
2006064328.tif 000008
【図７】
2006064328.tif 000009